(57)【特許請求の範囲】
【請求項１】
ローパーティションを構成する為にアジャスター装置にて適当な高さに支え、スタッド２，２・・を介してパネル１ａ，１ｂ・・を連結し、パネル１ａ，１ｂ・・の上端には笠木１９，１９・・を取付けた一方のパネル面に対して他方のパネル１ｄを垂直を成して連結する構造において、パネル面にはポスト５を取り付けし、このポスト５の正面に形成したスリット溝２２，２２・・にツメ３，３・・を引っ掛けて他方のパネル１ｄを連結する構造であり、上記ポスト５の上端にはコ型に屈曲したカギ７を固定してコ型に屈曲しているパネル１の表面材上端に係止し、そして、背面２０の一部を切欠いたポスト５の下端側にはコ型金具１１を取り付けしてパネル下端にて表面材１０を屈曲して形成した凸部１２と上記ポスト背面２０を挟み込むと共にネジ等の止着具で固定したことを特徴とするローパーティションのパネル連結構造。
【請求項２】
ローパーティションを構成する為にアジャスター装置にて適当な高さに支え、スタッド２，２・・を介してパネル１ａ，１ｂ・・を連結し、パネル１ａ，１ｂ・・の上端には笠木１９，１９・・を取付けた一方のパネル面に対して他方のパネル１ｄを垂直を成して連結する構造において、パネル面にはポスト５を取り付けし、このポスト５の正面に形成したスリット溝２２，２２・・にツメ３，３・・を引っ掛けて他方のパネル１ｄを連結する構造であり、上記ポスト５の上端にはコ型に屈曲したカギ７を固定してコ型に屈曲しているパネル１の表面材上端に係止し、そして、背面２０の一部を切欠いたポスト５の下端側にはコ型金具１１を取り付けしてパネル下端にて表面材１０を屈曲して形成した凸部１２と上記ポスト背面２０を挟み込むと共にネジ等の止着具で固定し、更にポスト背面にはゴム板やクッション材を貼り付けたことを特徴とするローパーティションのパネル連結構造。
【発明の詳細な説明】
【０００１】
【発明の属する技術分野】
本発明はローパーティションを構成するパネルの連結構造に関するものである。
【０００２】
【従来の技術】
ローパーティションは大きく仕切られた空間をさらに小さく仕切って、私的な小空間を作る場合に使用される。このローパーティションは複数枚のパネルを連結して所定の空間が形成されるが、パネルの連結形態としては直線状に繋ぐ場合、９０゜に屈曲したＬ型とする場合、又Ｔ型に連結する場合、さらには起立したスタッドを中心として四方に延びるようにパネルを十字型に繋ぐ場合がある。
【０００３】
ところで、図６は上記連結形態の中で直線状連結、Ｌ型連結、Ｔ型連結を示している従来例であるが、連結されるパネル（イ）、（イ）…間にはスタッド（ハ）、（ニ）が介在していて、該スタッド（ハ）、（ニ）にパネル側端に設けたツメ（ホ）、（ホ）を引っ掛けて繋がれている。このようなパネル連結においてはスタッド（ハ）、（ニ）が必要となり、パネルを連結する箇所は前以て定まってしまい、仕切られる空間を変更するにはパネル幅を変えるしかない。例えばＴ型連結において、垂直に繋がるパネル（ロ）の位置は定まってしまい、この状態でパネル（ロ）の連結位置を変更するにはパネル（イ）の幅を変えるしかない。
【０００４】
【本発明が解決しようとする課題】
このように、従来のパネル連結はスタッドを介在している為に、Ｔ型または十字型に繋がれる箇所は定まってしまい、後での変更は出来ない構造と成っている。本発明が解決しようとする課題はこの問題点であり、一方のパネル面の自由な位置に突き合わされて、しかもパネル面をキズ付けないで連結することが出来るローパーティションのパネル連結構造を提供する。
【０００５】
【課題を解決するための手段】
本発明はローパーティションを対象とし、このローパーティションを構成するに際し、一方のパネルに対して他方のパネルが垂直をなして連結される。連結されるパネル間にはスタッドを介在せず、パネル面に他方のパネル側端が突き合わされて繋がれる構造としている。そこでパネル面にポストを取り付け、このポストに他のパネルを垂直を成して連結する。
【０００６】
ここで上記ポストの上端にはカギが設けられ、このカギを介してパネル上端に引っ掛けられる。一方、ポスト下端はコ型金具によってパネル下端から外れないように挟み込まれる。そしてポストの背面（裏面）にはゴムやクッション材が貼り合わされている為に位置ズレは防止され、このポストはパネル面にネジ穴等のキズを付けることなく取り付けることが出来る。
【０００７】
すなわち、上端はカギでパネル上端に引っ掛けられ、下端はコ型金具にてポスト背面とパネル下端が挟まれた状態でコ型金具にネジを螺合して締め付けし、ネジの先端をポスト背面に押圧することで該ポストとパネルとが抱きかかえられる。ポストの断面形態は特に限定しないが、背面と所定の間隔をおいて形成されている正面には複数のスリット溝が形成され、このスリット溝にはパネル側端に設けているツメが引っ掛けられて連結することが出来る。また上記ネジに代わって抜け防止機能を備えたピンを用いることも可能であり、止着具の形態は限定しない。以下、本発明に係る実施例を図面に基づいて詳細に説明する。
【０００８】
【実施例】
図１、図２は本発明のパネル連結構造を用いて繋いだローパーティションの横断面図と縦断面図を示している。３枚のパネル１ａ、１ｂ、１ｃが直線状に連結し、そしてバネル１ｂにはバネル１ｄが垂直方向に連結している。図に示したような従来の連結構造とは異なり、パネル１ｄはパネル１ｂの中央に位置していて、その場所は自由に移動することが出来る。
【０００９】
一直線状に繋がっているパネル１ａ、１ｂ、１ｃの間にはスタッド２、２…が介在していて、このスタッドに形成しているスリット溝にパネル側端に固定したツメ３、３…が嵌っている。スタッド２は概略正方形断面のパイプ体であり、このスタッド面には複数個のスリット溝が所定の間隔をおいて上下方向に形成されている。勿論、このようなパネル１ａ、１ｂ、１ｃの連結形態は従来から使用されてきている手段である為に詳細な説明は省略する。
【００１０】
一方のパネル１ｄは上記スタッド２の位置とは異なる箇所にて垂直方向に向いて連結され、そしてバネル面４との間にはポスト５を設けている。ポスト５はコ型断面の両側片先端を内側へ屈曲して延ばした形状をなし、背面にはパネル面との摩擦を高めて滑りを防止する為にゴム板６が貼り合わされている。従って実際にはゴム板６に限らず、クッション材や両面テープを使用することも出来る。
【００１１】
ところで、このポスト５はパネル１ｂのパネル面４にネジ止めされるものではなく、パネル面にキズが付かないように取着される。図２にその具体例が示されているように、ポスト上端には先端部がコ型に屈曲したカギ７が設けられ、このカギ７はパネル上端に引っ掛かっている。パネル側端及びパネル上端には補強材８、８…が設けられ、芯材と成るペーパーコア９と共に表面材１０にてカバーされ、コ型に屈曲している表面材１０の上端にはこのカギ７が係止され、ポスト５を支えている。従ってポスト５は落下することなく、しかも上端はパネル面４から外れることはない。
【００１２】
一方のポスト下端はコ型金具１１によってパネル面４に止着されている。ポスト５は後述するように背面の一部は切り欠かれていて、この背面とパネル下端にて表面材を屈曲して形成している凸部１２を挟み込んでいる。すなわちコ型金具の前片１３と後片１４との間にポスト背面と上記凸部１２を挟み、前片１３に螺合したネジ１５を締めるならば先端はポスト背面に当たって押え込み、ポスト下端はパネル面４に止着される。
【００１３】
同図の１６はアジャスター装置でネジ１７を備えてパネルの高さを調整し、又１８は巾木、１９はパネル上端を被覆する笠木を示している。図３はポスト５の下端止着構造の正面図である。同図のようにポスト背面２０は切り欠かれ、この切り欠かれた背面２０の下端に上記コ型金具１１が取り付けされる。図４はポスト５を単独で示しているが、側片を内側へ屈曲した正面２１、２１には細長いスリット溝２２、２２…が等間隔で形成されている。
【００１４】
このスリット溝２２、２２…にはパネル１ｄの側端に固定しているツメ３、３…が嵌って連結される訳で、この連結形態は直線状に繋がっている他のパネル１ａ、１ｂ…の場合と同じである。図４に示しているようにポスト上端に溶接されたカギ７はコ型を成し、パネル上端に係止した場合にガタ付かない寸法と成っている。その為にもポスト背面にはゴム板又はクッション材が貼り合わされていて、このカギがパネル１ｂの上端に係止した際にゴム板やクッション材は多少圧縮されるようになっている。
【００１５】
勿論、係止したカギ７がガタ付かないようにする為だけでなく、ポスト５が位置ズレしないように作用する。図５はポスト下端を止着するコ型金具１１を示している。縦断面がコ型を成していて、取着した状態で垂直を成す前片１３にはネジ穴を設け、一方の後片１４は前片１３より大きくなっている。このネジ穴にはネジ１５が螺合しネジ１５を締めるならば先端は前片１３を貫通して突出し、ネジ先端はポスト背面２０を押圧することになる。
【００１６】
その結果、後片１４との間でパネル下端凸部１２とポスト背面２０を挟み込んで止着することが出来る。この場合、ネジを強く締め付けるならば、ポスト背面に貼着したゴム板又はクッション材は圧縮されてパネル面に密着し、ポストの位置ズレを防止することになる。以上述べたように、本発明のパネル連結構造はパネル面にポストを介して別のパネルを垂直に連結するものであって、次のような効果を得ることが出来る。
【００１７】
【発明の効果】
本発明のパネル連結構造はパネル面の如何なる位置においても別のパネルを垂直に連結することが出来る。そして側端を突き合わして連結するパネル位置は自由に変更可能となる為に、ローパーティションの据え付け段階で自由に調整出来る。パネル面にはポストが取り付けられ、しかもこのポストは上端をパネルに係止すると共に、下端はコ型金具にて止着されていて、このポストにパネルが連結される。従って、パネル面にはネジ穴等のキズが付かず、位置をズラせても何ら問題はない。又、ポスト背面にはゴム板やクッション材を貼り付けすることで、ポストの位置ズレはなく安定して取着される。
【図面の簡単な説明】
【図１】本発明のパネル連結構造を示す横断面図。
【図２】本発明のパネル連結構造を示す縦断面図。
【図３】ポスト下端の取り付け構造。
【図４】ポストの具体例。
【図５】コ型金具の具体例。
【図６】従来のパネル連結構造。
【符号の説明】
１  パネル
２  スタッド
３  ツメ
４  パネル面
５  ポスト
６  ゴム板
７  カギ
８  補強材
９  ペーパーコア
１０  表面材
１１  コ型金具
１２  凸部
１３  前片
１４  後片
１５  ネジ
１６  アジャスター装置
１７  ネジ
１８  巾木
１９  笠木
２０  背面
２１  正面
２２  スリット溝
【図１】
0003955993.tif 000002
【図２】
0003955993.tif 000003
【図３】
0003955993.tif 000004
【図４】
0003955993.tif 000005
【図５】
0003955993.tif 000006
【図６】
0003955993.tif 000007